(57)【要約】      （修正有）【課題】同時ボイスおよびデータ通信のために構成されたワイヤレスデバイスを提供する。【解決手段】ワイヤレスデバイスは、ボイスおよびデータトランシーバ２１０を含む。ボイスおよびデータトランシーバ２１０は、データパス回路２２６と、ボイスパス回路２２８と、第１のマルチプレクサ２１６ａと、第２のマルチプレクサ２１６ｂとを含む。第１のマルチプレクサ２１６ａは、データパス回路２２６にプライマリデータ受信信号２４１を送り、データパス回路２２６からデータ送信信号２４２を受信する。第２のマルチプレクサ２１６ｂは、データパス回路２２６にダイバーシティデータ受信信号２２２を送り、ボイスパス回路２２８にボイス受信信号２２０を送り、ボイスパス回路２２８からボイス送信信号２２４を受信する。第１のマルチプレクサ２１６ａに第１のアンテナ２１４ａが接続され、第２のマルチプレクサ２１６ｂに第２のアンテナ２１４ｂが接続される。【選択図】図２
2015173480.tif 000002
【特許請求の範囲】
【請求項１】
データパス回路と、
ボイスパス回路と、
前記データパス回路にプライマリデータ受信信号を送り、前記データパス回路からデータ送信信号を受信する、第１のマルチプレクサと、
前記データパス回路にダイバーシティデータ受信信号を送り、前記ボイスパス回路にボイス受信信号を送り、前記ボイスパス回路からボイス送信信号を受信する、第２のマルチプレクサと、
を備えるボイスおよびデータトランシーバと、
前記第１のマルチプレクサに接続された第１のアンテナと、
前記第２のマルチプレクサに接続された第２のアンテナと
を備える、同時ボイスおよびデータ通信のために構成されたワイヤレスデバイス。
【請求項２】
前記第１のマルチプレクサおよび前記第２のマルチプレクサの構成は、前記ボイスおよびデータトランシーバにもたらされる３次相互変調干渉を低減する、
請求項１に記載のワイヤレスデバイス。
【請求項３】
前記ワイヤレスデバイスは、Ｌｏｎｇ  Ｔｅｒｍ  Ｅｖｏｌｕｔｉｏｎ規格を使用して動作するように構成されたワイヤレス通信デバイスである、
請求項１に記載のワイヤレスデバイス。
【請求項４】
前記データパス回路は、
前記第１のマルチプレクサから前記プライマリデータ受信信号を受信するプライマリデータ受信チェーンと、
前記第１のマルチプレクサに前記データ送信信号を送るデータ送信チェーンと、
前記第２のマルチプレクサから前記ダイバーシティデータ受信信号を受信するダイバーシティデータ受信チェーンと
を備え、前記ボイスパス回路は、
前記第２のマルチプレクサから前記ボイス受信信号を受信するボイス受信チェーンと、
前記第２のマルチプレクサに前記ボイス送信信号を送るボイス送信チェーンと
を備える、請求項１に記載のワイヤレスデバイス。
【請求項５】
前記第１のマルチプレクサは、ダイプレクサであり、前記第２のマルチプレクサは、ダイプレクサである、
請求項１に記載のワイヤレスデバイス。
【請求項６】
データパス回路と、
ボイスパス回路と、
前記データパス回路にプライマリデータ受信信号を送り、前記データパス回路からデータ送信信号を受信し、前記ボイスパス回路にボイス受信信号を送る、第１のマルチプレクサと、
前記データパス回路にダイバーシティデータ受信信号を送り、前記ボイスパス回路からボイス送信信号を受信する、第２のマルチプレクサと
を備えるボイスおよびデータトランシーバと、
前記第１のマルチプレクサに接続された第１のアンテナと、
前記第２のマルチプレクサに接続された第２のアンテナと
を備える、同時ボイスおよびデータ通信のために構成されたワイヤレスデバイス。
【請求項７】
前記第１のマルチプレクサおよび前記第２のマルチプレクサの構成は、前記ボイスおよびデータトランシーバにもたらされる３次相互変調干渉を低減する、
請求項６に記載のワイヤレスデバイス。
【請求項８】
前記ワイヤレスデバイスが、Ｌｏｎｇ  Ｔｅｒｍ  Ｅｖｏｌｕｔｉｏｎ規格を使用して動作するように構成されたワイヤレス通信デバイスである、
請求項６に記載のワイヤレスデバイス。
【請求項９】
前記データパス回路は、
前記第１のマルチプレクサから前記プライマリデータ受信信号を受信するプライマリデータ受信チェーンと、
前記第１のマルチプレクサに前記データ送信信号を送るデータ送信チェーンと、
前記第２のマルチプレクサから前記ダイバーシティデータ受信信号を受信するダイバーシティデータ受信チェーンと
を備え、前記ボイスパス回路は、
前記第１のマルチプレクサから前記ボイス受信信号を受信するボイス受信チェーンと、
前記第２のマルチプレクサに前記ボイス送信信号を送るボイス送信チェーンと
を備える、請求項６に記載のワイヤレスデバイス。
【請求項１０】
前記第１のマルチプレクサは、ダイプレクサであり、前記第２のマルチプレクサがダイプレクサである、
請求項６に記載のワイヤレスデバイス。
【請求項１１】
データパス回路と、
ボイスパス回路と、
前記データパス回路にダイバーシティデータ受信信号を送り、前記データパス回路からデータ送信信号を受信し、前記ボイスパス回路にボイス受信信号を送る、第１のマルチプレクサと、
前記データパス回路にプライマリデータ受信信号を送り、前記ボイスパス回路からボイス送信信号を受信する、第２のマルチプレクサと
を備えるボイスおよびデータトランシーバと、
前記第１のマルチプレクサに接続された第１のアンテナと、
前記第２のマルチプレクサに接続された第２のアンテナと
を備える、同時ボイスおよびデータ通信のために構成されたワイヤレスデバイス。
【請求項１２】
前記第１のマルチプレクサおよび前記第２のマルチプレクサの構成は、前記ボイスおよびデータトランシーバにもたらされる３次相互変調干渉を低減する、
請求項１１に記載のワイヤレスデバイス。
【請求項１３】
前記ワイヤレスデバイスは、Ｌｏｎｇ  Ｔｅｒｍ  Ｅｖｏｌｕｔｉｏｎ規格を使用して動作するように構成されたワイヤレス通信デバイスである、
請求項１１に記載のワイヤレスデバイス。
【請求項１４】
前記データパス回路は、
前記第２のマルチプレクサから前記プライマリデータ受信信号を受信するプライマリデータ受信チェーンと、
前記第１のマルチプレクサに前記データ送信信号を送るデータ送信チェーンと、
前記第１のマルチプレクサから前記ダイバーシティデータ受信信号を受信するダイバーシティデータ受信チェーンと
を備え、前記ボイスパス回路は、
前記第１のマルチプレクサから前記ボイス受信信号を受信するボイス受信チェーンと、
前記第２のマルチプレクサに前記ボイス送信信号を送るボイス送信チェーンと
を備える、請求項１１に記載のワイヤレスデバイス。
【請求項１５】
前記第１のマルチプレクサは、ダイプレクサであり、前記第２のマルチプレクサがダイプレクサである、
請求項１１に記載のワイヤレスデバイス。
【請求項１６】
ボイス信号を通信することと、
データ信号を通信することと、
前記ボイス信号と前記データ信号とを同時に通信することによって発生される３次相互変調干渉を最小限に抑えることと
を備える、同時ボイスおよびデータ通信のための方法。
【請求項１７】
前記ボイス信号は、第１のアンテナと第１のマルチプレクサとを使用して通信され、前記データ信号は、前記第１のアンテナと、前記第１のマルチプレクサと、第２のアンテナと、第２のマルチプレクサとを使用して通信される、
請求項１６に記載の方法。
【請求項１８】
前記第１のマルチプレクサは、ダイプレクサであり、前記第２のマルチプレクサがダイプレクサである、
請求項１７に記載の方法。
【請求項１９】
前記ボイス信号を通信することは、前記ボイス信号を送信することを備え、前記データ信号を通信することは、前記データ信号を送信することを備える、
請求項１６に記載の方法。
【請求項２０】
前記ボイス信号と前記データ信号とが同時に送信される、
請求項１９に記載の方法。
【請求項２１】
前記ボイス信号を通信することは、前記ボイス信号を受信することを備え、前記データ信号を通信することは、前記データ信号を受信することを備える、
請求項１６に記載の方法。
【請求項２２】
前記ボイス信号と前記データ信号とは、同時に受信される、
請求項２１に記載の方法。
【請求項２３】
前記方法は、ワイヤレス通信デバイスによって実行される、
請求項１６に記載の方法。
【請求項２４】
前記ボイス信号を通信することは、前記ボイス信号を受信しながら同時に前記ボイス信号を送信することを備える、
請求項１６に記載の方法。
【請求項２５】
前記データ信号を通信することは、前記データ送信信号を送信しながら同時にプライマリデータ受信信号とダイバーシティデータ受信信号とを受信することを備える、
請求項１６に記載の方法。
【請求項２６】
データパス回路と、
ボイスパス回路と、
前記データパス回路にプライマリデータ受信信号を送り、前記ボイスパス回路からボイス送信信号を受信し、前記データパス回路からデータ送信信号を受信する、第１のマルチプレクサと、
前記データパス回路にダイバーシティデータ受信信号を送り、前記ボイスパス回路にボイス受信信号を送る、第２のマルチプレクサと、
前記第２のマルチプレクサとデータモデムとの間に接続されるデュプレクサと、
前記デュプレクサと接地との間に接続される抵抗器と
を備えるボイスおよびデータトランシーバと、
前記第１のマルチプレクサに接続される第１のアンテナと、
前記第２のマルチプレクサに接続される第２のアンテナと
を備える、同時ボイスおよびデータ通信のために構成されたワイヤレスデバイス。
【請求項２７】
前記デュプレクサおよび前記抵抗器の構成は、前記デュプレクサがダイバーシティ受信信号フィルタとして使用されるような構成である、
請求項２６に記載のワイヤレスデバイス。
【請求項２８】
前記データ送信信号は、それが反射して前記デュプレクサに戻り、前記ボイス送信信号との３次相互変調干渉を発生しないように、前記抵抗器において終端される、
請求項２７に記載のワイヤレスデバイス。
【請求項２９】
前記抵抗器は、５０オーム抵抗器である、
請求項２６に記載のワイヤレスデバイス。
【請求項３０】
前記第１のマルチプレクサは、ダイプレクサであり、前記第２のマルチプレクサは、ダイプレクサである、
請求項２６に記載のワイヤレスデバイス。
【請求項３１】
ボイス信号を通信するための手段と、
データ信号を通信するための手段と、
前記ボイス信号と前記データ信号とを同時に通信することによって発生される３次相互変調干渉を最小限に抑えるための手段と
を備える、同時ボイスおよびデータ通信のための装置。
【請求項３２】
前記ボイス信号を通信するための前記手段は、第１のアンテナと第１のマルチプレクサとを使用することを備え、前記データ信号を通信するための前記手段は、前記第１のアンテナと、前記第１のマルチプレクサと、第２のアンテナと、第２のマルチプレクサとを備える、
請求項３１に記載の装置。
【請求項３３】
前記第１のマルチプレクサは、ダイプレクサであり、前記第２のマルチプレクサは、ダイプレクサである、
請求項３２に記載の装置。
【請求項３４】
前記ボイス信号を通信することは、前記ボイス信号を送信することを備え、前記データ信号を通信することは、前記データ信号を送信することを備える、
請求項３１に記載の装置。
【請求項３５】
前記ボイス信号と前記データ信号とは、同時に送信される、
請求項３４に記載の装置。
【請求項３６】
前記ボイス信号を通信することは、前記ボイス信号を受信することを備え、前記データ信号を通信することは、前記データ信号を受信することを備える、
請求項３１に記載の装置。
【請求項３７】
前記ボイス信号と前記データ信号とは、同時に受信される、
請求項３６に記載の装置。
【請求項３８】
前記装置は、ワイヤレス通信デバイスである、
請求項３１に記載の装置。
【請求項３９】
前記ボイス信号を通信することは、前記ボイス信号を受信しながら同時に前記ボイス信号を送信することを備える、
請求項３１に記載の装置。
【請求項４０】
前記データ信号を通信することは、前記データ送信信号を送信しながら同時にプライマリデータ受信信号とダイバーシティデータ受信信号とを受信することを備える、
請求項３１に記載の装置。
【発明の詳細な説明】
【関連出願】
【０００１】
本出願は、「SYSTEM AND METHODS TO IMPLEMENT SIMULTANEOUS VOICE AND DATA」と題する２０１０年１０月２７日に出願された米国仮特許出願第６１／４０７，２６６号に関し、その優先権を主張する。
【技術分野】
【０００２】
本開示は、一般に、通信システムのための電子デバイスに関する。より詳細には、本開示は、同時ボイスおよびデータ通信のためのシステムおよび方法に関する。
【背景技術】
【０００３】
電子デバイス（セルラー電話、ワイヤレスモデム、コンピュータ、デジタル音楽プレーヤ、全地球測位システムユニット、携帯情報端末、ゲームデバイスなど）は、日常生活の一部になっている。現在、自動車からハウジングロックまで、あらゆるものに小型コンピューティングデバイスが入っている。電子デバイスの複雑さは、ここ数年で劇的に増加した。たとえば、多くの電子デバイスは、デバイスを制御するのを助ける１つまたは複数のプロセッサ、ならびにプロセッサとデバイスの他の部分とをサポートするためのいくつかのデジタル回路を有する。
【０００４】
これらの電子デバイスは、電子デバイス各々とおよびネットワークとワイヤレス通信し得る。電子デバイスは、多くの異なるタイプの通信を行い得る。たとえば、一部の電子デバイスはボイス通信を行い、他の電子デバイスはデータ通信を行う。一部の電子デバイスは、今やボイス通信とデータ通信の両方を行う。電子デバイスのための同時ボイスおよびデータ通信を実装するための改善されたシステムおよび方法を提供することによって、利益が実現され得る。
【発明の概要】
【０００５】
同時ボイスおよびデータ通信のために構成されたワイヤレスデバイスについて説明する。本ワイヤレスデバイスは、ボイスおよびデータトランシーバを含む。ボイスおよびデータトランシーバは、データパス回路と、ボイスパス回路と、第１のダイプレクサと、第２のダイプレクサとを含む。第１のダイプレクサは、データパス回路にプライマリデータ受信信号を送り、データパス回路からデータ送信信号を受信する。第２のダイプレクサは、データパス回路にダイバーシティデータ受信信号を送り、ボイスパス回路にボイス受信信号を送り、ボイスパス回路からボイス送信信号を受信する。本ワイヤレスデバイスは、第１のダイプレクサに接続された第１のアンテナと、第２のダイプレクサに接続された第２のアンテナとをも含む。
【０００６】
第１のダイプレクサおよび第２のダイプレクサは、ボイスおよびデータトランシーバにもたらされる３次相互変調干渉を低減し得る。本ワイヤレスデバイスは、Ｌｏｎｇ  Ｔｅｒｍ  Ｅｖｏｌｕｔｉｏｎ規格を使用して動作するように構成されたワイヤレス通信デバイスであり得る。データパス回路は、プライマリデータ受信チェーンと、データ送信チェーンと、ダイバーシティデータ受信チェーンとを含み得る。ボイスパス回路は、ボイス受信チェーンとボイス送信チェーンとを含み得る。
【０００７】
また、同時ボイスおよびデータ通信のために構成されたワイヤレスデバイスについて説明する。本ワイヤレスデバイスは、ボイスおよびデータトランシーバを含む。ボイスおよびデータトランシーバは、データパス回路と、ボイスパス回路と、第１のダイプレクサと、第２のダイプレクサとを含む。第１のダイプレクサは、データパス回路にプライマリデータ受信信号を送り、データパス回路からデータ送信信号を受信し、ボイスパス回路にボイス受信信号を送る。第２のダイプレクサは、データパス回路にダイバーシティデータ受信信号を送り、ボイスパス回路からボイス送信信号を受信する。本ワイヤレスデバイスは、第１のダイプレクサに接続された第１のアンテナと、第２のダイプレクサに接続された第２のアンテナとをも含む。
【０００８】
同時ボイスおよびデータ通信のために構成されたワイヤレスデバイスについて説明する。本ワイヤレスデバイスは、ボイスおよびデータトランシーバを含む。ボイスおよびデータトランシーバは、データパス回路と、ボイスパス回路と、第１のダイプレクサと、第２のダイプレクサとを含む。第１のダイプレクサは、データパス回路にダイバーシティデータ受信信号を送り、データパス回路からデータ送信信号を受信し、ボイスパス回路にボイス受信信号を送る。第２のダイプレクサは、データパス回路にプライマリデータ受信信号を送り、ボイスパス回路からボイス送信信号を受信する。本ワイヤレスデバイスは、第１のダイプレクサに接続された第１のアンテナと、第２のダイプレクサに接続された第２のアンテナとをも含む。
【０００９】
同時ボイスおよびデータ通信のための方法について説明する。ボイス信号を通信する。データ信号をも通信する。ボイス信号とデータ信号とを同時に通信することによって発生される３次相互変調干渉を最小限に抑える。
【００１０】
ボイス信号は、第１のアンテナと第１のダイプレクサとを使用して通信され得る。データ信号は、第１のアンテナと、第１のダイプレクサと、第２のアンテナと、第２のダイプレクサとを使用して通信され得る。ボイス信号を通信することは、ボイス信号を送信することを含み得る。データ信号を通信することは、データ信号を送信することを含み得る。ボイス信号とデータ信号とは同時に送信され得る。
【００１１】
ボイス信号を通信することは、ボイス信号を受信することを含み得る。データ信号を通信することは、データ信号を受信することを含み得る。ボイス信号とデータ信号とは同時に受信され得る。本方法はワイヤレス通信デバイスによって実行され得る。
【００１２】
また、同時ボイスおよびデータ通信のために構成されたワイヤレスデバイスについて説明する。本ワイヤレスデバイスは、ボイスおよびデータトランシーバを含む。ボイスおよびデータトランシーバは、データパス回路と、ボイスパス回路と、第１のダイプレクサと、第２のダイプレクサとを含む。第１のダイプレクサは、データパス回路にプライマリデータ受信信号を送り、ボイスパス回路からボイス送信信号を受信し、データパス回路からデータ送信信号を受信する。第２のダイプレクサは、データパス回路にダイバーシティデータ受信信号を送り、ボイスパス回路にボイス受信信号を送る。ボイスおよびデータトランシーバは、第２のダイプレクサとデータモデムとの間に接続されたデュプレクサをも含む。ボイスおよびデータトランシーバは、デュプレクサと接地との間に接続された抵抗器をさらに含む。本ワイヤレスデバイスは、第１のダイプレクサに接続された第１のアンテナと、第２のダイプレクサに接続された第２のアンテナとをも含む。
【００１３】
デュプレクサおよび抵抗器の構成は、デュプレクサがダイバーシティ受信信号フィルタとして使用されるような構成であり得る。データ送信信号は、それが反射してデュプレクサに戻り、ボイス送信信号との３次相互変調干渉を発生しないように、抵抗器において終端され得る。抵抗器は５０オーム抵抗器であり得る。
【００１４】
また、同時ボイスおよびデータ通信のための装置について説明する。本装置は、ボイス信号を通信するための手段を含む。本装置は、データ信号を通信するための手段をも含む。本装置は、ボイス信号とデータ信号とを同時に通信することによって発生される３次相互変調干渉を最小限に抑えるための手段をさらに含む。
【００１５】
ボイス信号を通信するための手段は、第１のアンテナと第１のダイプレクサとを使用することを含み得る。データ信号を通信するための手段は、第１のアンテナと、第１のダイプレクサと、第２のアンテナと、第２のダイプレクサとを含み得る。ボイス信号を通信することは、ボイス信号を送信することを含み得る。データ信号を通信することは、データ信号を送信することを含み得る。ボイス信号とデータ信号とは同時に送信され得る。
【００１６】
ボイス信号を通信することは、ボイス信号を受信することを含み得る。データ信号を通信することは、データ信号を受信することを含み得る。ボイス信号とデータ信号とは同時に受信され得る。本装置はワイヤレス通信デバイスであり得る。
【図面の簡単な説明】
【００１７】
【図１】複数のワイヤレスデバイスをもつワイヤレス通信システム１００を示す図。
【図２】本システムおよび方法において使用する同時ボイスおよびデータ（ＳＶＤ：simultaneous voice and data）トランシーバを示すブロック図。
【図３】本システムおよび方法において使用する別の同時ボイスおよびデータ（ＳＶＤ）トランシーバを示すブロック図。
【図４】同時ボイスおよびデータ（ＳＶＤ）トランシーバのフロントエンドアーキテクチャを示すブロック図。
【図５】３次相互変調（ＩＭ３：third order intermodulation）干渉が低減された同時ボイスおよびデータ通信のための方法のフローチャート。
【図６】ボイス信号とデータ信号とを同時に受信および送信するための方法のフローチャート。
【図７】同時ボイスおよびデータ（ＳＶＤ）通信中に起こり得る感度低下を示す図。
【図８】３次相互変調（ＩＭ３）干渉問題を緩和するための提案される無線周波（ＲＦ）フロントエンドアーキテクチャを示す図。
【図９】ワイヤレス通信デバイス内に含まれ得るいくつかの構成要素を示す図。
【発明を実施するための形態】
【００１８】
３rd  Ｇｅｎｅｒａｔｉｏｎ  Ｐａｒｔｎｅｒｓｈｉｐ  Ｐｒｏｊｅｃｔ（３ＧＰＰ）は、グローバルに適用可能な第３世代（３Ｇ）モバイルフォン仕様を定義することを目的とする電気通信協会のグループ間のコラボレーションである。３ＧＰＰ  Ｌｏｎｇ  Ｔｅｒｍ  Ｅｖｏｌｕｔｉｏｎ（ＬＴＥ）は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイルフォン規格を改善することを目的とした３ＧＰＰプロジェクトである。３ＧＰＰは、次世代のモバイルネットワーク、モバイルシステムおよびモバイルデバイスのための仕様を定義し得る。３ＧＰＰ  ＬＴＥでは、移動局またはモバイルデバイスは「ユーザ機器」（ＵＥ）と呼ばれることがある。
【００１９】
３ＧＰＰ仕様はｅｖｏｌｖｅｄ  Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））仕様に基づき、これはＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）として一般に知られている。３ＧＰＰ規格はリリースとして構造化されている。したがって、３ＧＰＰについての説明では、しばしば、あるリリースまたは別のリリースにおける機能に言及する。たとえば、リリース９９は、ＣＤＭＡエアインターフェースを組み込んだ、最初のＵＭＴＳ第３世代（３Ｇ）ネットワークを規定する。リリース６は、動作をワイヤレスローカルエリアネットワーク（ＬＡＮ）ネットワークと一体化し、高速アップリンクパケットアクセス（ＨＳＵＰＡ）を追加する。リリース８は、デュアルダウンリンクキャリアを導入し、リリース９は、デュアルキャリア動作をＵＭＴＳのためのアップリンクに拡張する。
【００２０】
ＣＤＭＡ２０００は、ワイヤレスデバイス間でボイス、データおよびシグナリングを送るために符号分割多元接続（ＣＤＭＡ）を使用する第３世代（３Ｇ）技術規格のファミリーである。ＣＤＭＡ２０００は、ＣＤＭＡ２０００  １Ｘ、ＣＤＭＡ２０００  ＥＶ−ＤＯ  Ｒｅｖ．０、ＣＤＭＡ２０００  ＥＶ−ＤＯ  Ｒｅｖ．Ａ、およびＣＤＭＡ２０００  ＥＶ−ＤＯ  Ｒｅｖ．Ｂを含む。１ｘまたは１ｘＲＴＴは、コアＣＤＭＡ２０００ワイヤレスエアインターフェース規格を指す。１ｘは、より詳細には１  ｔｉｍｅｓ  Ｒａｄｉｏ  Ｔｒａｎｓｍｉｓｓｉｏｎ  Ｔｅｃｈｎｏｌｏｇｙを指し、ＩＳ−９５で使用するのと同じ無線周波（ＲＦ）帯域幅を示す。１ｘＲＴＴは、６４個の追加のトラフィックチャネルを順方向リンクに追加する。ＥＶ−ＤＯは、Ｅｖｏｌｕｔｉｏｎ−Ｄａｔａ  Ｏｐｔｉｍｉｚｅｄを指す。ＥＶ−ＤＯは、無線信号を介したデータのワイヤレス送信のための電気通信規格である。
【００２１】
図１に、複数のワイヤレスデバイスをもつワイヤレス通信システム１００を示す。ワイヤレスデバイスは、基地局１０２、ワイヤレス通信デバイス１０４、コントローラなどであり得る。基地局１０２は、１つまたは複数のワイヤレス通信デバイス１０４と通信する局である。基地局１０２は、アクセスポイント、ブロードキャスト送信機、ノードＢ、発展型ノードＢなどと呼ばれることもあり、それらの機能の一部または全部を含み得る。各基地局１０２は、特定の地理的エリアに通信カバレージを与える。基地局１０２は、１つまたは複数のワイヤレス通信デバイス１０４に通信カバレージを与え得る。「セル」という用語は、この用語が使用されるコンテキストに応じて基地局１０２および／またはそのカバレージエリアを指すことができる。各セルはさらにセクタに分割され得る。したがって、基地局１０２は複数のセクタをカバーし得る。
【００２２】
ワイヤレス通信デバイス１０４は、端末、アクセス端末、ユーザ機器（ＵＥ）、加入者ユニット、局などと呼ばれることもあり、それらの機能の一部または全部を含み得る。ワイヤレス通信デバイス１０４は、セルラーフォン、携帯情報端末（ＰＤＡ）、ワイヤレスデバイス、ワイヤレスモデム、ハンドヘルドデバイス、ラップトップコンピュータ、ＰＣカード、コンパクトフラッシュ（登録商標）、外部または内部モデム、有線電話などであり得る。ワイヤレス通信デバイス１０４は移動または固定であり得る。ワイヤレス通信デバイス１０４は、任意の所与の瞬間に、ダウンリンク１０６および／またはアップリンク１０８上の０、１つ、または複数の基地局１０２と通信し得る。ダウンリンク１０６（または順方向リンク）は、基地局１０２からワイヤレス通信デバイス１０４への通信リンクを指し、アップリンク１０８（または逆方向リンク）は、ワイヤレス通信デバイス１０４から基地局１０２への通信リンクを指す。アップリンク１０８およびダウンリンク１０６は、通信リンクを、または通信リンクのために使用されるキャリアを指し得る。
【００２３】
ワイヤレス通信システム１００は、利用可能なシステムリソース（たとえば、帯域幅および送信電力）を共有することによって複数のワイヤレス通信デバイス１０４との通信をサポートすることが可能な多元接続システムであり得る。そのような多元接続システムの例は、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システムおよび空間分割多元接続（ＳＤＭＡ）システムを含む。
【００２４】
ワイヤレス通信ネットワーク１００は、いくつかのワイヤレス通信デバイス１０４に通信を与え得、ワイヤレス通信デバイス１０４の各々は基地局１０２によってサービスされ得る。ボイスにはＣＤＭＡ２０００を使用し、データにはＤａｔａ  Ｏｐｔｉｍｉｚｅｄ（ＤＯ）を使用するワイヤレス通信ネットワーク１００は、消費者に同時ボイスおよびデータ（ＳＶＤ）を与えることができないことがある。たとえば、基地局１０２は、ワイヤレス通信デバイス１０４にデータサービスとボイスサービスの両方を同時に与えることができないことがある。このできないことの１つの主要な理由は、同時ボイスおよびデータ（ＳＶＤ）送信中に起こり得る大量の干渉である。
【００２５】
同時ボイスおよびデータ（ＳＶＤ）サービスを取得するために、ワイヤレス通信デバイス１０４は、同時ボイスおよびデータ（ＳＶＤ）トランシーバ１１０を必要とし得る。同時ボイスおよびデータ（ＳＶＤ）を適切に送信および受信するために、同時ボイスおよびデータ（ＳＶＤ）トランシーバ１１０の設計は、３次相互変調（ＩＭ３）干渉低減が必要とされるような設計であり得る。同時ボイスおよびデータ（ＳＶＤ）トランシーバ１１０は、ワイヤレス通信デバイス１０４上のアンテナの数を増加させることなしに、発生される３次相互変調（ＩＭ３）干渉を最小限に抑えるように、設計され得る。ＬＴＥでは、ワイヤレス通信デバイス１０４は２つのアンテナを有し得、したがって、２つのアンテナを用いてＬＴＥのための同時ボイスおよびデータ（ＳＶＤ）を与えることが望ましいことがある。同時ボイスおよびデータ（ＳＶＤ）システムの例は、１ｘＣＤＭＡボイス＋ＬＴＥ／ＤＯ／ＴＤＳＣＤＭＡデータ、ＧＳＭボイス＋ＬＴＥ／ＷＣＤＭＡ（登録商標）／ＴＤＳＣＤＭＡデータ、およびＵＭＴＳボイス＋ＬＴＥ／ＴＤＳＣＤＭＡデータを含む。
【００２６】
一般に、データ送信信号（Ｔｘ１）、プライマリデータ受信信号（ＰＲｘ）、ボイス送信信号（Ｔｘ２）およびボイス受信信号（Ｒｘ）は第１のアンテナを使用し、ダイバーシティデータ受信信号（ＤＲｘ）は第２のアンテナを使用する。このシステムでは、データについての３次相互変調（ＩＭ３）干渉ＩIM3(data)は式（１）に示される。
【数１】
2015173480.tif 000003
【００２７】
ボイスについての３次相互変調（ＩＭ３）干渉ＩIM3(voice)は式（２）に示される。
【数２】
2015173480.tif 000004
【００２８】
データとボイスの両方を送信するために１つのアンテナを使用すると、連邦通信委員会（ＦＣＣ）比吸収率（ＳＡＲ）要件を満たすという問題が生じ得る。さらに、３次相互変調（ＩＭ３）干渉レベルは、データ送信信号とボイス送信信号の両方がそれらの最大値にまたはその近くにある場合、最も強い。（３次相互変調（ＩＭ３）干渉が低減された）同時ボイスおよびデータ（ＳＶＤ）トランシーバ１１０を使用することによって、データについての３次相互変調（ＩＭ３）干渉ＩIM3(data)およびボイスについての３次相互変調（ＩＭ３）干渉ＩIM3(voice)は、低減され得る。
【００２９】
図２は、本システムおよび方法において使用する同時ボイスおよびデータ（ＳＶＤ）トランシーバ２１０を示すブロック図である。図２の同時ボイスおよびデータ（ＳＶＤ）トランシーバ２１０は、図１の同時ボイスおよびデータ（ＳＶＤ）トランシーバ１１０の一構成であり得る。同時ボイスおよびデータ（ＳＶＤ）トランシーバ２１０は、３次相互変調（ＩＭ３）干渉の低減があるように設計され得る。同時ボイスおよびデータ（ＳＶＤ）トランシーバ２１０は、第１のアンテナ２１４ａおよび第２のアンテナ２１４ｂとともにワイヤレス通信デバイス１０４上にあり得る。同時ボイスおよびデータ（ＳＶＤ）トランシーバ２１０は、第１のアンテナ２１４ａと第２のアンテナ２１４ｂの両方に接続され得る。
【００３０】
同時ボイスおよびデータ（ＳＶＤ）トランシーバ２１０は、データパス回路２２６とボイスパス回路２２８とを含み得る。データ信号とボイス信号の両方がデータパス回路２２６から入力および出力され得る。また、データ信号とボイス信号の両方がボイスパス回路２２８から入力および出力され得る。データパス回路２２６は第１のマルチプレクサ２１６ａに接続され得る。マルチプレクサ２１６は、周波数領域多重化を実装する受動デバイスであり得る。一構成では、本明細書で使用するマルチプレクサ２１６はダイプレクサであり得る。第１のマルチプレクサ２１６ａは第１のアンテナ２１４ａに接続され得る。データパス回路２２６と第１のマルチプレクサ２１６ａとの間の信号は、プライマリデータ受信信号（ＰＲｘ）２４１およびデータ送信信号（Ｔｘ１）２４２を含み得る。アンテナダイバーシティを利用するワイヤレス通信デバイス１０４では、ワイヤレスリンクの品質および信頼性を改善するために１つまたは複数の追加のアンテナ２１４が使用され得る。たとえば、ワイヤレス通信デバイス１０４は各アンテナ２１４を介してデータ信号を受信し得る。これらのデータ信号のうちの一方はプライマリデータ信号であり得、他方はダイバーシティデータ信号である。一構成では、プライマリデータ受信信号（ＰＲｘ）２４１は、（ダイバーシティデータ受信信号（ＤＲｘ）２２２と比較して）最も高い信号対雑音比（ＳＮＲ）を有するデータ信号であり得る。別の構成では、プライマリデータ受信信号（ＰＲｘ）２４１は、プライマリアンテナ２１４（すなわち、第１のアンテナ２１４ａ）によって受信されたデータ信号であり得、ダイバーシティデータ受信信号（ＤＲｘ）２２２は、セカンダリアンテナ２１４（すなわち、第２のアンテナ２１４ｂ）によって受信されたデータ信号であり得る。データパス回路２２６は第２のマルチプレクサ２１６ｂにも接続され得る。第２のマルチプレクサ２１６ｂは第２のアンテナ２１４ｂに接続され得る。データパス回路２２６と第２のマルチプレクサ２１６ｂとの間の信号はダイバーシティデータ受信信号（ＤＲｘ）２２２を含み得る。
【００３１】
ボイスパス回路２２８は第２のマルチプレクサ２１６ｂに接続され得る。ボイスパス回路２２８と第２のマルチプレクサ２１６ｂとの間の信号は、ボイス受信信号（Ｒｘ）２２０およびボイス送信信号（Ｔｘ２）２２４を含み得る。
【００３２】
第１のアンテナ２１４ａが、プライマリデータ受信信号（ＰＲｘ）２４１とデータ送信信号（Ｔｘ１）２４２とを割り当てられ、第２のアンテナ２１４ｂが、ダイバーシティデータ受信信号（ＤＲｘ）２２２と、ボイス受信信号（Ｒｘ）２２０と、ボイス送信信号（Ｔｘ２）２２４とを割り当てられた場合、データについての３次相互変調（ＩＭ３）干渉ＩIM3(data)は式（３）に示される。
【数３】
2015173480.tif 000005
【００３３】
ボイスについての３次相互変調（ＩＭ３）干渉ＩIM3(voice)は式（４）を使用して示され得る。
【数４】
2015173480.tif 000006
【００３４】
式（３）および式（４）では、αはアンテナ間分離である。式（３）および式（４）は、αの、ベースライン３次相互変調（ＩＭ３）干渉（すなわち、上記の式（１）および式（２）からの３次相互変調（ＩＭ３）干渉）の低減を表し、これは、実際の設計では約−１０デシベル（ｄＢ）である。
【００３５】
データパス回路２２６は、送信のためのデータ２３０を受信し得る。データパス回路２２６は、ワイヤレス通信デバイス１０４が使用するための受信データ２３２をフォワーディングし得る。同様に、ボイスパス回路２２８は、送信のためのボイス２３４を受信し得る。ボイスパス回路２２８は、ワイヤレス通信デバイス１０４が使用するための受信ボイス２３６をフォワーディングし得る。
【００３６】
図３は、本システムおよび方法において使用する別の同時ボイスおよびデータ（ＳＶＤ）トランシーバ３１０を示すブロック図である。図３の同時ボイスおよびデータ（ＳＶＤ）トランシーバ３１０は、図１の同時ボイスおよびデータ（ＳＶＤ）トランシーバ１１０の一構成であり得る。同時ボイスおよびデータ（ＳＶＤ）トランシーバ３１０は、前の構成と比較して３次相互変調（ＩＭ３）干渉のさらなる低減があるように設計され得る。同時ボイスおよびデータ（ＳＶＤ）トランシーバ３１０は、第１のアンテナ３１４ａおよび第２のアンテナ３１４ｂとともにワイヤレス通信デバイス１０４上にあり得る。同時ボイスおよびデータ（ＳＶＤ）トランシーバ３１０は、第１のアンテナ３１４ａと第２のアンテナ３１４ｂの両方に接続され得る。
【００３７】
同時ボイスおよびデータ（ＳＶＤ）トランシーバ３１０は、データパス回路３２６とボイスパス回路３２８とを含み得る。データ信号とボイス信号の両方がデータパス回路３２６から入力および出力され得る。また、データ信号とボイス信号の両方がボイスパス回路３２８から入力および出力され得る。データパス回路３２６は第１のマルチプレクサ３１６ａに接続され得る。第１のマルチプレクサ３１６ａは第１のアンテナ３１４ａに接続され得る。データパス回路３２６と第１のマルチプレクサ３１６ａとの間の信号は、プライマリデータ受信信号（ＰＲｘ）３４１およびデータ送信信号（Ｔｘ１）３４２を含み得る。データパス回路３２６は第２のマルチプレクサ３１６ｂにも接続され得る。第２のマルチプレクサ３１６ｂは第２のアンテナ３１４ｂに接続され得る。データパス回路３２６と第２のマルチプレクサ３１６ｂとの間の信号はダイバーシティデータ受信信号（ＤＲｘ）３２２を含み得る。
【００３８】
ボイスパス回路３２８は、第１のマルチプレクサ３１６ａと第２のマルチプレクサ３１６ｂの両方に接続され得る。ボイスパス回路３２８と第１のマルチプレクサ３１６ａとの間の信号はボイス受信信号（Ｒｘ）３２０を含み得る。ボイスパス回路３２８と第２のマルチプレクサ３１６ｂとの間の信号はボイス送信信号（Ｔｘ２）３２４を含み得る。
【００３９】
第１のアンテナ３１４ａが、プライマリデータ受信信号（ＰＲｘ）３４１と、データ送信信号（Ｔｘ１）３４２と、ボイス受信（Ｒｘ）信号３２０とを割り当てられ、第２のアンテナ３１４ｂが、ダイバーシティデータ受信信号（ＤＲｘ）３２２とボイス送信信号（Ｔｘ２）３２４とを割り当てられた場合、ボイスについての３次相互変調（ＩＭ３）干渉ＩIM3(voice)は式（５）を使用して示され得る。
【数５】
2015173480.tif 000007
【００４０】
したがって、式（５）は、２α2の、ベースライン３次相互変調（ＩＭ３）干渉（すなわち、式（１）からの３次相互変調（ＩＭ３）干渉）の低減を表し、これは−１７ｄＢである。プライマリデータ受信信号（ＰＲｘ）３４１についてのデータについての３次相互変調（ＩＭ３）干渉は（α＋α3）≒αの低減ファクタを有し、これは−１０ｄＢである。
【００４１】
データパス回路３２６は、送信のためのデータ３３０を受信し得る。データパス回路３２６は、ワイヤレス通信デバイス１０４が使用するための受信データ３３２をフォワーディングし得る。同様に、ボイスパス回路３２８は、送信のためのボイス３３４を受信し得る。ボイスパス回路３２８は、ワイヤレス通信デバイス１０４が使用するための受信ボイス３３６をフォワーディングし得る。
【００４２】
図４は、同時ボイスおよびデータ（ＳＶＤ）トランシーバ５１０のフロントエンドアーキテクチャを示すブロック図である。図４の同時ボイスおよびデータ（ＳＶＤ）トランシーバ５１０は、図１の同時ボイスおよびデータ（ＳＶＤ）トランシーバ１１０の一構成であり得る。同時ボイスおよびデータ（ＳＶＤ）トランシーバ５１０は、３次相互変調（ＩＭ３）干渉の低減があるように設計され得る。第１のアンテナ５１４ａが第１のマルチプレクサ５１６ａに接続され得る。一構成では、第１のマルチプレクサ５１６ａはダイプレクサであり得る。第１のアンテナ５１４ａは、プライマリデータ受信（ＰＲｘ）チェーン５４３、データ送信（Ｔｘ１）チェーン５４６およびボイス受信（Ｒｘ）チェーン５５２のために使用され得る。第２のアンテナ５１４ｂが第２のマルチプレクサ５１６ｂに接続され得る。一構成では、第２のマルチプレクサ５１６ｂはダイプレクサであり得る。第２のアンテナ５１４ｂは、ダイバーシティデータ受信（ＤＲｘ）チェーン５４９およびボイス送信（Ｔｘ２）チェーン５５５のために使用され得る。
【００４３】
プライマリデータ受信（ＰＲｘ）チェーン５４３、データ送信（Ｔｘ１）チェーン５４６およびダイバーシティデータ受信（ＤＲｘ）チェーン５４９は、それぞれデータパス回路５２６の一部であり得る。プライマリデータ受信（ＰＲｘ）チェーン５４３は、受信機５４４と復調器５４５とを含み得る。一構成では、復調器５４５はモデムの一部であり得る。データ送信（Ｔｘ１）チェーン５４６は、送信機５４７と変調器５４８とを含み得る。一構成では、変調器５４８はモデムの一部であり得る。ダイバーシティデータ受信（ＤＲｘ）チェーン５４９は、受信機５５０と復調器５５１とを含み得る。復調器５５１はモデムの一部であり得る。
【００４４】
ボイス受信（Ｒｘ）チェーン５５２およびボイス送信（Ｔｘ２）チェーン５５５は、ボイスパス回路５２８の一部であり得る。ボイス受信（Ｒｘ）チェーン５５２は、受信機５５３と復調器５５４とを含み得る。復調器５５４はモデムの一部であり得る。ボイス送信（Ｔｘ２）チェーン５５５は、送信機５５６と変調器５５７とを含み得る。変調器５５７はモデムの一部であり得る。
【００４５】
第１のマルチプレクサ５１６ａは、データパス回路５２６中のプライマリデータ受信（ＰＲｘ）チェーン５４３にプライマリデータ受信信号（ＰＲｘ）５４１を送り得る。第１のマルチプレクサ５１６ａは、ボイスパス回路５２８中のボイス受信（Ｒｘ）チェーン５５２にボイス受信信号（Ｒｘ）５２０をも送り得る。第１のマルチプレクサ５１６ａは、データ送信（Ｔｘ１）チェーン５４６からデータ送信信号（Ｔｘ１）５４２を受信し得る。
【００４６】
第２のマルチプレクサ５１６ｂは、データパス回路５２６中のダイバーシティデータ受信（ＤＲｘ）チェーン５４９にダイバーシティデータ受信信号（ＤＲｘ）５２２を送り得る。第２のマルチプレクサ５１６ｂは、ボイスパス回路５２８中のボイス送信（Ｔｘ２）チェーン５５５からボイス送信信号（Ｔｘ２）５２４を受信し得る。
【００４７】
第１のアンテナ５１４ａと第１のマルチプレクサ５１６ａとの間の信号は、プライマリデータ受信信号（ＰＲｘ）５４１、データ送信信号（Ｔｘ１）５４２およびボイス受信信号（Ｒｘ）５２０のうちの少なくとも１つを含む、第１のコンポジット信号５２１ａであり得る。第２のアンテナ５１４ｂと第２のマルチプレクサ５１６ｂとの間の信号は、ダイバーシティデータ受信信号（ＤＲｘ）５２２およびボイス送信信号（Ｔｘ２）５２４のうちの少なくとも１つを含む、第２のコンポジット信号５２１ｂであり得る。
【００４８】
図５は、３次相互変調（ＩＭ３）干渉が低減された同時ボイスおよびデータ通信のための方法６００のフローチャートである。方法６００はワイヤレス通信デバイス１０４によって実行され得る。ワイヤレス通信デバイス１０４は、６０２において、ボイス信号を通信する。一構成では、ワイヤレス通信デバイス１０４は、６０２において、第１のマルチプレクサ３１６ａと、第１のマルチプレクサ３１６ａに接続された第１のアンテナ３１４ａと、第２のマルチプレクサ３１６ｂと、第２のマルチプレクサ３１６ｂに接続された第２のアンテナ３１４ｂとを使用して、ボイス信号を通信し得る。別の構成では、ワイヤレス通信デバイス１０４は、６０２において、マルチプレクサ２１６ｂと、マルチプレクサ２１６ｂに接続されたアンテナ２１４ｂとのみを使用して、ボイス信号を通信し得る。６０２においてボイス信号を通信することは、ボイス受信信号（Ｒｘ）２２０を受信することと、ボイス送信信号（Ｔｘ２）２２４を送信することとの両方を含み得る。一構成では、６０２においてボイス信号を通信することは、ボイス受信信号（Ｒｘ）２２０を受信しながら同時にボイス送信信号（Ｔｘ２）２２４を送信することを含み得る。
【００４９】
ワイヤレス通信デバイス１０４は、６０４において、データ信号をも通信する。一構成では、ワイヤレス通信デバイス１０４は、第１のマルチプレクサ２１６ａと、第１のマルチプレクサ２１６ａに接続された第１のアンテナ２１４ａと、第２のマルチプレクサ２１６ｂと、第２のマルチプレクサ２１６ｂに接続された第２のアンテナ２１４ｂとを使用して、データ信号を通信し得る。６０４においてデータ信号を通信することは、プライマリデータ受信信号（ＰＲｘ）２４１を受信することと、ダイバーシティデータ受信信号（ＤＲｘ）２２２を受信することと、データ送信信号（Ｔｘ１）２４２を送ることとを含み得る。一構成では、６０４においてデータ信号を通信することは、プライマリデータ受信信号（ＰＲｘ）２４１とダイバーシティデータ受信信号（ＤＲｘ）２２２とを受信しながら同時にデータ送信信号（Ｔｘ１）２４２を送信することを含み得る。
【００５０】
ワイヤレス通信デバイス１０４は、６０２においてボイス信号を通信しながら同時に６０４においてデータ信号を通信し得る。たとえば、ワイヤレス通信デバイス１０４は、プライマリデータ受信信号（ＰＲｘ）２４１と、ダイバーシティデータ受信信号（ＤＲｘ）２２２と、ボイス受信信号（Ｒｘ）２２０とを受信しながら同時にデータ送信信号（Ｔｘ１）２４２とボイス送信信号（Ｔｘ２）２２４とを送信し得る。ワイヤレス通信デバイス１０４は、６０６において、ボイス信号とデータ信号とを同時に通信することによって発生される３次相互変調（ＩＭ３）干渉を最小限に抑える。一構成では、ワイヤレス通信デバイス１０４の設計は、６０６において３次相互変調（ＩＭ３）干渉を最小限に抑え得る。
【００５１】
図６は、ボイス信号とデータ信号とを同時に受信および送信するための方法７００のフローチャートである。方法７００はワイヤレス通信デバイス１０４によって実行され得る。ワイヤレス通信デバイス１０４は、（３次相互変調（ＩＭ３）干渉が低減された）同時ボイスおよびデータ（ＳＶＤ）トランシーバ３１０を含み得る。ワイヤレス通信デバイス１０４は、７０２において、第１のアンテナ３１４ａと第１のマルチプレクサ３１６ａとを使用してダイバーシティデータ受信信号（ＤＲｘ）３２２を受信する。ワイヤレス通信デバイス１０４は、７０４において、第１のマルチプレクサ３１６ａと第１のアンテナ３１４ａとを使用してボイス受信信号（Ｒｘ）をも受信する。
【００５２】
ワイヤレス通信デバイス１０４は、７０６において、第２のマルチプレクサ３１６ｂと第２のアンテナ３１４ｂとを使用してプライマリデータ受信信号（ＰＲｘ）３４１をさらに受信する。ワイヤレス通信デバイス１０４は、７０８において、第１のマルチプレクサ３１６ａと第１のアンテナ３１４ａとを使用してデータ送信信号（Ｔｘ１）３４２を送信する。ワイヤレス通信デバイス１０４は、７１０において、第２のマルチプレクサ３１６ｂと第２のアンテナ３１４ｂとを使用してボイス送信信号（Ｔｘ２）３２４をも送信する。第１のマルチプレクサ３１６ａおよび第２のマルチプレクサ３１６ｂの構成は、もたらされる３次相互変調（ＩＭ３）干渉が従来の構成と比較して低減されるような構成であり得る。一構成では、もたらされる３次相互変調（ＩＭ３）干渉は、従来の構成と比較して、ボイスでは−１７ｄＢおよびデータでは−１７ｄＢだけ低減され得る。
【００５３】
図７に、同時ボイスおよびデータ（ＳＶＤ）通信中に起こり得る感度低下を示す。周波数対信号強度のグラフを示す。ボイスオーバーインターネットプロトコル（ＶＯＩＰ）がいつユビキタスになるかは確実でない。したがって、デュアル送信に起因する問題に対処するために、データ（ＬＴＥ、ＤＯ、ＷＬＡＮなど）のための専用チェーンがボイスのための第２のチェーンとともに使用されることがある。２つの送信チェーン（データ送信チェーンとボイス送信チェーン）間の相互変調が性能劣化（たとえば、感度、スプリアス発射）につながることがある。これにより、連邦通信委員会（ＦＣＣ）比吸収率（ＳＡＲ）要件を満たすという問題が生じることがある。
【００５４】
Ｖｅｒｉｚｏｎ  Ｗｉｒｅｌｅｓｓ  Ｓｉｍｕｌｔａｎｅｏｕｓ  Ｖｏｉｃｅ  Ｌｏｎｇ  Ｔｅｒｍ  Ｅｖｏｌｕｔｉｏｎ（ＳＶＬＴＥ）は、ＬＴＥにはＢａｎｄ  １３（Ｂ１３）を使用し、ボイスにはＢａｎｄ  ０（ＢＣ０）を使用する。Ｂ１３送信信号がＢＣ０送信信号と相互変調し、３次相互変調（ＩＭ３）積がＢＣ０受信バンドにかかるので、最初の３００個のセルラーチャネルは感度低下を生じやすい。この感度低下は、Ｌｏｎｇ  Ｔｅｒｍ  Ｅｖｏｌｕｔｉｏｎ（ＬＴＥ）送信信号７５９とＢＣ０送信信号（セル送信（Ｔｘ）信号７６０）の両方が最大電力にまたはその近くにあるときに起こり、キャリア認証テストに合格することが困難になる。
【００５５】
過去に、ボイスとデータとのために同じアンテナが使用されていた。データについての最大送信電力は、スループットという犠牲を払って低減され得る。これは望ましくない。別の解決策は、データのために２つのアンテナを専用化し、ボイスのために第３のアンテナを専用化することであった。しかしながら、アンテナの数が増加するにつれて、アンテナ間分離は減少し、これは、相互変調（ＩＭ）問題に対処することに関して、自滅的である。さらに、商用ハンドセット中のアンテナの数を増加させることはコストがかかる。また、フォームファクタが、商用ハンドセット上に配置され得るアンテナの数を制限する。
【００５６】
広帯域符号分割多元接続（ＷＣＤＭＡ）は、同時ボイスおよびデータ（ＳＶＤ）をサポートするためにデータとボイスとを同じ波形に埋め込む。ボイスとデータとのために２つの物理チャネルを利用するフレキシビリティはない。ＬＴＥの使用は、ＷＣＤＭＡまたはデータ最適化（ＤＯ：data optimized）をはるかに超えて、次に高いデータレートを与える。ＶＯＩＰは、既存のボイスネットワークと同じネットワークカバレージを成熟させ、それに達するのに、時間がかかることになる。
【００５７】
同時ボイスおよびデータ通信を使用するとき、３次相互変調（ＩＭ３）干渉７６２がセル受信（Ｒｘ）信号７６１に著しく影響し、同時ボイスおよびデータ（ＳＶＤ）通信の有効性が制限され得る。しかしながら、（３次相互変調（ＩＭ３）干渉が低減された）同時ボイスおよびデータ（ＳＶＤ）トランシーバ１１０を使用することによって、低減された３次相互変調（ＩＭ３）干渉７６３のみがセル受信（Ｒｘ）信号７６１上で見られ、同時ボイスおよびデータ（ＳＶＤ）通信の使用が可能になる。ｌｏｎｇ  ｔｅｒｍ  ｅｖｏｌｕｔｉｏｎ（ＬＴＥ）受信（Ｒｘ）信号７５８は３次相互変調（ＩＭ３）による影響を受けないことがある。
【００５８】
Ｌｏｎｇ  Ｔｅｒｍ  Ｅｖｏｌｕｔｉｏｎ（ＬＴＥ）受信（Ｒｘ）信号７５８と、Ｌｏｎｇ  Ｔｅｒｍ  Ｅｖｏｌｕｔｉｏｎ（ＬＴＥ）送信（Ｔｘ）信号７５９と、セル送信（Ｔｘ）信号７６０と、セル受信（Ｒｘ）信号７６１との周波数および相対信号強度が示されている。その周波数および信号強度は、一定の縮尺で描かれておらず、３次相互変調（ＩＭ３）干渉７６２がどこで周波数スペクトルにかかるか（およびこの３次相互変調（ＩＭ３）干渉７６２がどのように低減されるか）を示すために図示されているにすぎない。
【００５９】
図８に、３次相互変調（ＩＭ３）干渉問題を緩和するための提案される無線周波（ＲＦ）フロントエンドアーキテクチャを示す。第１のアンテナ８１４ａが、プライマリデータ受信（ＰＲｘ）チェーン５４３、データ送信（Ｔｘ１）チェーン５４６およびボイス受信（Ｒｘ）チェーン５５２のために使用され得る。第２のアンテナ８１４ｂが、ボイス送信（Ｔｘ２）チェーン５５５およびダイバーシティデータ受信（ＤＲｘ）チェーン５４９のために使用され得る。
【００６０】
第１のマルチプレクサ８１６ａが第１のアンテナ８１４ａに接続され得る。第１のマルチプレクサ８１６ａは、第１のデュプレクサ８６４ａおよび第２のデュプレクサ８６４ｂに接続され得る。デュプレクサ８６４は、単一のチャネル上での双方向通信を可能にするデバイスである。第１のデュプレクサ８６４ａは、データモデム８６８にプライマリデータ受信信号（ＰＲｘ）８４１を出力し得る。第２のデュプレクサ８６４ｂは、データモデム８６８からデータ最適化（ＤＯ）送信信号（Ｔｘ１）８４２を受信し得る。第２のデュプレクサ８６４ｂはまた、スイッチ８６７ａを介してボイスおよび全地球測位システム（ＧＰＳ）モデム８７０にボイス受信信号（Ｒｘ）８２０を出力し得る。
【００６１】
第１のマルチプレクサ８１６ａは第３のデュプレクサ８６４ｃにも接続され得る。第３のデュプレクサ８６４ｃは、データモデム８６８からデータ最適化（ＤＯ）送信信号を受信し、パーソナル通信システム（ＰＣＳ：personal communications system）受信信号（Ｒｘ）を生成し得る。パーソナル通信システム（ＰＣＳ）受信信号（Ｒｘ）はスイッチ８６７ｂに出力され得、スイッチ８６７ｂは、次いで、データモデム８６８にデータ最適化（ＤＯ）受信信号を出力するか、またはボイスおよび全地球測位システム（ＧＰＳ）モデム８７０に１ｘ受信信号（Ｒｘ）を出力する。送信のための信号が電力増幅器８６６ａ〜ｅを通して受け渡され得る。
【００６２】
第２のマルチプレクサ８１６ｂが第２のアンテナ８１４ｂに接続され得る。第２のマルチプレクサ８１６ｂは、第４のデュプレクサ８６４ｄおよび第５のデュプレクサ８６４ｅに接続され得る。第４のデュプレクサ８６４ｄは、データモデム８６８にｌｏｎｇ  ｔｅｒｍ  ｅｖｏｌｕｔｉｏｎ（ＬＴＥ）ダイバーシティデータ受信信号（ＤＲｘ）８２２を出力し得る。第５のデュプレクサ８６４ｅは、ボイスおよび全地球測位システム（ＧＰＳ）モデム８７０から１ｘボイス送信信号（Ｔｘ２）８２４を受信し得る。第２のマルチプレクサ８１６ｂは、パーソナル通信サービス（ＰＣＳ）のために第６のデュプレクサ８６４ｆにも接続され得る。ボイスおよび全地球測位システム（ＧＰＳ）モデム８７０は全地球測位システム（ＧＰＳ）アンテナ８１４ｃにも接続され得る。
【００６３】
第４のデュプレクサ８６４ｄは、５０オーム抵抗器を使用して接地に接続され得る。５０オーム抵抗器は、第４のデュプレクサ８６４ｄがダイバーシティＲｘフィルタとして使用されるように、データデュプレクサ送信信号（Ｔｘ１）を終端するために、使用される。これにより、第１のアンテナ８１４ａからのデータＴｘ接続が３次相互変調（ＩＭ３）干渉の発生にあまり寄与しないことになるので、ボイスのための第４のデュプレクサ８６４ｄによって発生される３次相互変調（ＩＭ３）干渉は低減される。これは、データ送信信号（Ｔｘ）が反射してボイスデュプレクサに戻り、ボイス送信信号（Ｔｘ）との３次相互変調（ＩＭ３）ひずみを発生しないように、データ送信信号（Ｔｘ）が５０オーム終端を見つけるからである。
【００６４】
データ送信信号（Ｔｘ１）２４２とボイス送信（Ｔｘ）信号２２４とが同じアンテナ中で合成された場合、３次相互変調（ＩＭ３）干渉は約Ｔｘ１＊（Ｔｘ２）2である。アンテナ間分離がαである場合、ＩＭ３1（第１のアンテナ８１４ａのための回路による３次相互変調（ＩＭ３）干渉）は、Ｔｘ２が第２のアンテナ８１４ｂ中にあるので、約Ｔｘ１（α＊Ｔｘ２）2である。同様に、ＩＭ３2（第２のアンテナ８１４ｂのための回路による３次相互変調（ＩＭ３）干渉）は、ＩＭ３2を発生するためにＴｘ１が第２のアンテナ８１４ｂに接続される必要があるので、約（α＊Ｔｘ１）＊（Ｔｘ２）2である。ボイス受信（Ｒｘ）信号８２０が第１のアンテナ８１４ａを使用するので、感度低下に寄与する総３次相互変調（ＩＭ３）干渉は、ＩＭ３1＋α＊ＩＭ３2＝２＊α＊（α＊Ｔｘ１）＊（Ｔｘ２）2である。
【００６５】
したがって、２つのアンテナ８１４中でＴｘ１とＴｘ２とを分離することは（ボイス受信信号（Ｒｘ）８２０とＴｘ２とは同じアンテナ８１４中にある）、同じアンテナ８１４中でのＴｘ１とＴｘ２との合成に勝るα（１０ｄＢ）の改善ファクタを与える。これにより、利用可能なスペクトルのより良い使用と、スペクトルプランニングのフレキシビリティの増加とが可能になる。また、それにより、現在の規格がサポートしていない、ボイスとデータとの同時性が可能になる（たとえば、ＳＶＬＴＥおよびＳＶＤＯ）。より多くのセキュリティが、選定されたチャネルに課され得る。
【００６６】
２つのアンテナ８１４中でＴｘ１とＴｘ２とを分離すること（およびＴｘ１と同じアンテナ８１４中にボイス受信信号（Ｒｘ）８２０を置くこと）によって、２（α）2（１７ｄＢ）の改善が得られ得る。データは、空間ダイバーシティ利得から利益を得るために、プライマリデータ受信信号（ＰＲｘ）８４１およびダイバーシティデータ受信信号（ＤＲｘ）８２２を必要とする。ボイス送信信号（Ｔｘ２）８２４は、ダイバーシティデータ受信信号（ＤＲｘ）８２２と同じアンテナ８１４に割り振られ得る。ボイス受信信号（Ｒｘ）８２０は、プライマリデータ受信信号（ＰＲｘ）８４１と同じアンテナ８１４に割り振られ得る。これにより、アンテナ間分離（＞１０ｄＢ）を利用することによってデータ送信信号（Ｔｘ１）８４２とボイス送信信号（Ｔｘ２）８２４との間の相互変調問題が緩和される。２つのアンテナ８１４からの比吸収率（ＳＡＲ）ホットスポットが一致する可能性は低く、単一のアンテナ８１４と比較して、デュアル送信ＳＡＲ性能が改善される。また、それにより、より良い性能のアンテナ８１４を最も重要なボイスアスペクト（voice aspect）に専用化するための設計トレードオフが可能になる。さらに、それにより、１つのアンテナ８１４中でボイスとデータとを同時にサポートしないことによってアンテナ８１４の設計制約が緩和される。最後に、アンテナ間分離＋デュプレクサ分離による、ボイス送信信号（Ｔｘ２）８２４とボイス受信信号（Ｒｘ）８２０との間の分離は、シングルトーン感度低下性能の改善につながることになる。
【００６７】
データモデム８６８とボイスおよび全地球測位システム（ＧＰＳ）モデム８７０とは、互いと通信するために高速ユニバーサル非同期受信機／送信機（ＨＳ−ＵＡＲＴ：high-speed universal asynchronous receiver/transmitter）８７１を使用し得る。データモデム８６８とボイスおよび全地球測位システム（ＧＰＳ）モデム８７０とは、互いと通信するためにセキュアデジタル入出力（ＳＤＩＯ：Secure Digital Input Output）８７２をも使用し得る。
【００６８】
図９に、ワイヤレス通信デバイス９０４内に含まれ得るいくつかの構成要素を示す。ワイヤレス通信デバイス９０４は、アクセス端末、移動局、ユーザ機器（ＵＥ）などであり得る。ワイヤレス通信デバイス９０４はプロセッサ９０３を含む。プロセッサ９０３は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ９０３は中央処理ユニット（ＣＰＵ）と呼ばれることがある。図９のワイヤレス通信デバイス９０４には単一のプロセッサ９０３のみが示されているが、代替構成では、プロセッサの組合せ（たとえば、ＡＲＭとＤＳＰ）が使用され得る。
【００６９】
ワイヤレス通信デバイス９０４はメモリ９０５をも含む。メモリ９０５は、電子情報を記憶することが可能な任意の電子的構成要素であり得る。メモリ９０５は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施され得る。
【００７０】
データ９０７ａおよび命令９０９ａがメモリ９０５に記憶され得る。命令９０９ａは、本明細書で開示する方法を実装するためにプロセッサ９０３によって実行可能であり得る。命令９０９ａを実行することは、メモリ９０５に記憶されたデータ９０７ａの使用を含み得る。プロセッサ９０３が命令９０９を実行すると、命令９０９ｂの様々な部分がプロセッサ９０３上にロードされ得、様々ないくつかのデータ９０７ｂがプロセッサ９０３上にロードされ得る。
【００７１】
ワイヤレス通信デバイス９０４は、第１のアンテナ９１７ａと第２のアンテナ９１７ｂとを介したワイヤレス通信デバイス９０４へのおよびワイヤレス通信デバイス９０４からの信号の送信および受信を可能にするための、送信機９１１と受信機９１３とをも含み得る。送信機９１１と受信機９１３とはトランシーバ９１５と総称されることがある。ワイヤレス通信デバイス９０４は、複数の送信機、追加のアンテナ、複数の受信機および／または複数のトランシーバをも含み得る（図示せず）。
【００７２】
ワイヤレス通信デバイス９０４はデジタル信号プロセッサ（ＤＳＰ）９２１を含み得る。ワイヤレス通信デバイス９０４は通信インターフェース９２３をも含み得る。通信インターフェース９２３は、ユーザがワイヤレス通信デバイス９０４と対話することを可能にし得る。
【００７３】
ワイヤレス通信デバイス９０４の様々な構成要素は、電力バス、制御信号バス、ステータス信号バス、データバスなどを含み得る１つまたは複数のバスによって互いに接続され得る。明快のために、図９では様々なバスはバスシステム９１９として示してある。
【００７４】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選定、確立などを含むことができる。
【００７５】
「に基づいて」という句は、別段に明示されていない限り、「のみに基づいて」を意味しない。言い換えれば、「に基づいて」という句は、「のみに基づいて」と「に少なくとも基づいて」の両方を表す。
【００７６】
「プロセッサ」という用語は、汎用プロセッサ、中央処理ユニット（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【００７７】
「メモリ」という用語は、電子情報を記憶することが可能な任意の電子的構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データストレージ、レジスタなど、様々なタイプのプロセッサ可読媒体を指すことがある。プロセッサがメモリから情報を読み取り、および／または情報をメモリに書き込むことができる場合、メモリはプロセッサと電子通信していると言われる。プロセッサに一体化されたメモリは、プロセッサと電子通信している。
【００７８】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことがある。「命令」および「コード」は、単一のコンピュータ可読ステートメントまたは多くのコンピュータ可読ステートメントを備え得る。
【００７９】
本明細書で説明する機能は、ハードウェア、ソフトウェア、ファームウェア、またはそれらの任意の組合せで実装され得る。ソフトウェアで実装される場合、機能は１つまたは複数の命令としてコンピュータ可読媒体上に記憶され得る。「コンピュータ可読媒体」または「コンピュータプログラム製品」という用語は、コンピュータによってアクセスされ得る任意の利用可能な媒体を指す。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望のプログラムコードを搬送または記憶するために使用され得、コンピュータによってアクセスされ得る、任意の他の媒体を備え得る。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。
【００８０】
また、ソフトウェアまたは命令は送信媒体を介して送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【００８１】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、説明されている方法の適切な動作のためにステップまたはアクションの特定の順序が必要とされない限り、特定のステップおよび／またはアクションの順序および／または使用は、特許請求の範囲から逸脱することなく修正され得る。
【００８２】
さらに、図５および図６によって示されたものなど、本明細書で説明する方法および技法を実行するためのモジュールおよび／または他の適切な手段は、デバイスによってダウンロードされ、および／または他の方法で取得され得ることを諒解されたい。たとえば、デバイスは、本明細書で説明する方法を実行するための手段の転送を可能にするために、サーバに接続され得る。代替的に、本明細書で説明する様々な方法は、記憶手段をデバイスに接続するかまたは与えるときにデバイスが様々な方法を獲得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。さらに、本明細書で説明する方法および技法をデバイスに与えるための任意の他の適切な技法を利用することができる。
【００８３】
特許請求の範囲は、上記に示した正確な構成および構成要素に限定されないことを理解されたい。特許請求の範囲から逸脱することなく、本明細書で説明するシステム、方法、および装置の構成、動作および詳細において、様々な改変、変更および変形が行われ得る。
【図１】
2015173480.tif 000008
【図２】
2015173480.tif 000009
【図３】
2015173480.tif 000010
【図４】
2015173480.tif 000011
【図５】
2015173480.tif 000012
【図６】
2015173480.tif 000013
【図７】
2015173480.tif 000014
【図８】
2015173480.tif 000015
【図９】
2015173480.tif 000016
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
ボイス信号およびデータ信号の送信に対応する３次相互変調閾値を満たしながら送信信号強度を増加させる方法であって、
データ送信信号をボイスおよびデータトランシーバの第１のマルチプレクサに送ることと、前記データ送信信号は、第１のアンテナまたは第２のアンテナの一方を介して第１の送信電力で送信されるものである、
ボイス送信信号を前記ボイスおよびデータトランシーバの第２のマルチプレクサに送ることと、前記ボイス送信信号は、前記データ送信信号の送信と同時に前記第１のアンテナまたは前記第２のアンテナの他方を介して第２の送信電力で送信されるものである、
を備える方法。
【請求項２】
前記第１のマルチプレクサおよび前記第２のマルチプレクサは、アンテナ間分離ファクタに関連付けられ、
前記ボイスおよびデータトランシーバは、前記アンテナ間分離ファクタにしたがい３次相互変調（ＩＭ３）閾値を超えることなく、前記第１のアンテナを介して前記第１の送信電力で前記データ送信信号を送信するように、および、同時に前記第２のアンテナを介して前記第２の送信電力で前記ボイス送信信号を送信するように構成され、
前記第１の送信電力および前記第２の送信電力の合計に等しい送信電力で前記データ送信信号と前記ボイス送信信号とを同時に送信するために単一のアンテナを使用することは、前記ＩＭ３閾値を超えるであろう、請求項１に記載の方法。
【請求項３】
前記第１のマルチプレクサは、ダイプレクサであり、前記第２のマルチプレクサがダイプレクサである、請求項１に記載の方法。
【請求項４】
前記第１のアンテナまたは前記第２のアンテナの一方を介してプライマリデータ受信信号を受信することと、
前記第１のアンテナまたは前記第２のアンテナの他方を介してダイバーシティデータ受信信号を受信することと
をさらに備える、請求項１に記載の方法。
【請求項５】
前記プライマリデータ受信信号または前記ダイバーシティデータ受信信号の一方を受信するのと同時にボイス受信信号を受信することをさらに備える、請求項４に記載の方法。
【請求項６】
前記プライマリデータ受信信号と同じアンテナを介してボイス受信信号を受信することをさらに備える、請求項４に記載の方法。
【請求項７】
前記ダイバーシティデータ受信信号と同じアンテナを介してボイス受信信号を受信することをさらに備える、請求項４に記載の方法。
【請求項８】
前記方法は、Ｌｏｎｇ  Ｔｅｒｍ  Ｅｖｏｌｕｔｉｏｎ規格を使用して動作するように構成されたワイヤレス通信デバイスによって実行される、請求項１に記載の方法。
【請求項９】
前記ボイス送信信号は、前記第１のアンテナまたは前記第２のアンテナの一方を介してボイス受信信号を受信するのと同時に前記第２のアンテナを介して送信される、請求項１に記載の方法。
【請求項１０】
前記データ送信信号は、前記第１のアンテナまたは前記第２のアンテナの一方を介してプライマリデータ受信信号を、前記第１のアンテナまたは前記第２のアンテナの他方を介してダイバーシティデータ受信信号を受信するのと同時に送信される、請求項１に記載の方法。
【請求項１１】
ボイス信号およびデータ信号を送信するとき３次相互変調閾値を満たしながら送信信号強度を増加させる装置であって、
データ送信信号を第１のアンテナまたは第２のアンテナの一方を介して第１の送信電力で送信するための手段と、
前記データ送信信号の送信と同時に、ボイス送信信号を前記第１のアンテナまたは前記第２のアンテナの他方を介して第２の送信電力で送信するための手段と
を備える装置。
【請求項１２】
前記データ送信信号を送信するための前記手段は、第１のマルチプレクサまたは第２のマルチプレクサの一方を含み、前記ボイス送信信号を送信するための前記手段は、前記第１のマルチプレクサまたは前記第２のマルチプレクサの他方を含む、請求項１１に記載の装置。
【請求項１３】
前記第１のマルチプレクサは、ダイプレクサであり、前記第２のマルチプレクサは、ダイプレクサである、請求項１２に記載の装置。
【請求項１４】
前記データ送信信号を送信するための前記手段または前記ボイス送信信号を送信するための前記手段の一方は、プライマリデータ受信信号を受信するように構成され、前記データ送信信号を送信するための前記手段または前記ボイス送信信号を送信するための前記手段の他方は、ダイバーシティデータ受信信号を受信するように構成される、請求項１１に記載の装置。
【請求項１５】
ボイス受信信号は、前記プライマリデータ受信信号または前記ダイバーシティデータ受信信号の一方を受信するのと同時に受信される、請求項１４に記載の装置。
【請求項１６】
ボイス受信信号は、前記プライマリデータ受信信号と同じアンテナを介して受信される、請求項１４に記載の装置。
【請求項１７】
ボイス受信信号は、前記ダイバーシティデータ受信信号と同じアンテナを介して受信される、請求項１４に記載の装置。
【請求項１８】
前記装置は、ワイヤレス通信デバイスである、請求項１１に記載の装置。
【請求項１９】
前記ボイス送信信号は、前記第１のアンテナまたは前記第２のアンテナの一方を介してボイス受信信号を受信するのと同時に前記第２のアンテナを介して送信される、請求項１１に記載の装置。
【請求項２０】
前記データ送信信号は、前記第１のアンテナまたは前記第２のアンテナの一方を介してプライマリデータ受信信号を受信し、前記第１のアンテナまたは前記第２のアンテナの他方を介してダイバーシティデータ受信信号を受信するのと同時に送信される、請求項１１に記載の装置。
【手続補正２】
【補正対象書類名】明細書
【補正対象項目名】００８３
【補正方法】変更
【補正の内容】
【００８３】
特許請求の範囲は、上記に示した正確な構成および構成要素に限定されないことを理解されたい。特許請求の範囲から逸脱することなく、本明細書で説明するシステム、方法、および装置の構成、動作および詳細において、様々な改変、変更および変形が行われ得る。
以下に本願発明の当初の特許請求の範囲に記載された発明を付記する。
［Ｃ１］
データパス回路と、
ボイスパス回路と、
前記データパス回路にプライマリデータ受信信号を送り、前記データパス回路からデータ送信信号を受信する、第１のマルチプレクサと、
前記データパス回路にダイバーシティデータ受信信号を送り、前記ボイスパス回路にボイス受信信号を送り、前記ボイスパス回路からボイス送信信号を受信する、第２のマルチプレクサと、
を備えるボイスおよびデータトランシーバと、
前記第１のマルチプレクサに接続された第１のアンテナと、
前記第２のマルチプレクサに接続された第２のアンテナと
を備える、同時ボイスおよびデータ通信のために構成されたワイヤレスデバイス。
［Ｃ２］
前記第１のマルチプレクサおよび前記第２のマルチプレクサの構成は、前記ボイスおよびデータトランシーバにもたらされる３次相互変調干渉を低減する、Ｃ１に記載のワイヤレスデバイス。
［Ｃ３］
前記ワイヤレスデバイスは、Ｌｏｎｇ  Ｔｅｒｍ  Ｅｖｏｌｕｔｉｏｎ規格を使用して動作するように構成されたワイヤレス通信デバイスである、Ｃ１に記載のワイヤレスデバイス。
［Ｃ４］
前記データパス回路は、
前記第１のマルチプレクサから前記プライマリデータ受信信号を受信するプライマリデータ受信チェーンと、
前記第１のマルチプレクサに前記データ送信信号を送るデータ送信チェーンと、
前記第２のマルチプレクサから前記ダイバーシティデータ受信信号を受信するダイバーシティデータ受信チェーンと
を備え、前記ボイスパス回路は、
前記第２のマルチプレクサから前記ボイス受信信号を受信するボイス受信チェーンと、
前記第２のマルチプレクサに前記ボイス送信信号を送るボイス送信チェーンと
を備える、Ｃ１に記載のワイヤレスデバイス。
［Ｃ５］
前記第１のマルチプレクサは、ダイプレクサであり、前記第２のマルチプレクサは、ダイプレクサである、Ｃ１に記載のワイヤレスデバイス。
［Ｃ６］
データパス回路と、
ボイスパス回路と、
前記データパス回路にプライマリデータ受信信号を送り、前記データパス回路からデータ送信信号を受信し、前記ボイスパス回路にボイス受信信号を送る、第１のマルチプレクサと、
前記データパス回路にダイバーシティデータ受信信号を送り、前記ボイスパス回路からボイス送信信号を受信する、第２のマルチプレクサと
を備えるボイスおよびデータトランシーバと、
前記第１のマルチプレクサに接続された第１のアンテナと、
前記第２のマルチプレクサに接続された第２のアンテナと
を備える、同時ボイスおよびデータ通信のために構成されたワイヤレスデバイス。
［Ｃ７］
前記第１のマルチプレクサおよび前記第２のマルチプレクサの構成は、前記ボイスおよびデータトランシーバにもたらされる３次相互変調干渉を低減する、Ｃ６に記載のワイヤレスデバイス。
［Ｃ８］
前記ワイヤレスデバイスが、Ｌｏｎｇ  Ｔｅｒｍ  Ｅｖｏｌｕｔｉｏｎ規格を使用して動作するように構成されたワイヤレス通信デバイスである、Ｃ６に記載のワイヤレスデバイス。
［Ｃ９］
前記データパス回路は、
前記第１のマルチプレクサから前記プライマリデータ受信信号を受信するプライマリデータ受信チェーンと、
前記第１のマルチプレクサに前記データ送信信号を送るデータ送信チェーンと、
前記第２のマルチプレクサから前記ダイバーシティデータ受信信号を受信するダイバーシティデータ受信チェーンと
を備え、前記ボイスパス回路は、
前記第１のマルチプレクサから前記ボイス受信信号を受信するボイス受信チェーンと、
前記第２のマルチプレクサに前記ボイス送信信号を送るボイス送信チェーンと
を備える、Ｃ６に記載のワイヤレスデバイス。
［Ｃ１０］
前記第１のマルチプレクサは、ダイプレクサであり、前記第２のマルチプレクサがダイプレクサである、Ｃ６に記載のワイヤレスデバイス。
［Ｃ１１］
データパス回路と、
ボイスパス回路と、
前記データパス回路にダイバーシティデータ受信信号を送り、前記データパス回路からデータ送信信号を受信し、前記ボイスパス回路にボイス受信信号を送る、第１のマルチプレクサと、
前記データパス回路にプライマリデータ受信信号を送り、前記ボイスパス回路からボイス送信信号を受信する、第２のマルチプレクサと
を備えるボイスおよびデータトランシーバと、
前記第１のマルチプレクサに接続された第１のアンテナと、
前記第２のマルチプレクサに接続された第２のアンテナと
を備える、同時ボイスおよびデータ通信のために構成されたワイヤレスデバイス。
［Ｃ１２］
前記第１のマルチプレクサおよび前記第２のマルチプレクサの構成は、前記ボイスおよびデータトランシーバにもたらされる３次相互変調干渉を低減する、Ｃ１１に記載のワイヤレスデバイス。
［Ｃ１３］
前記ワイヤレスデバイスは、Ｌｏｎｇ  Ｔｅｒｍ  Ｅｖｏｌｕｔｉｏｎ規格を使用して動作するように構成されたワイヤレス通信デバイスである、Ｃ１１に記載のワイヤレスデバイス。
［Ｃ１４］
前記データパス回路は、
前記第２のマルチプレクサから前記プライマリデータ受信信号を受信するプライマリデータ受信チェーンと、
前記第１のマルチプレクサに前記データ送信信号を送るデータ送信チェーンと、
前記第１のマルチプレクサから前記ダイバーシティデータ受信信号を受信するダイバーシティデータ受信チェーンと
を備え、前記ボイスパス回路は、
前記第１のマルチプレクサから前記ボイス受信信号を受信するボイス受信チェーンと、
前記第２のマルチプレクサに前記ボイス送信信号を送るボイス送信チェーンと
を備える、Ｃ１１に記載のワイヤレスデバイス。
［Ｃ１５］
前記第１のマルチプレクサは、ダイプレクサであり、前記第２のマルチプレクサがダイプレクサである、Ｃ１１に記載のワイヤレスデバイス。
［Ｃ１６］
ボイス信号を通信することと、
データ信号を通信することと、
前記ボイス信号と前記データ信号とを同時に通信することによって発生される３次相互変調干渉を最小限に抑えることとを備える、同時ボイスおよびデータ通信のための方法。
［Ｃ１７］
前記ボイス信号は、第１のアンテナと第１のマルチプレクサとを使用して通信され、前記データ信号は、前記第１のアンテナと、前記第１のマルチプレクサと、第２のアンテナと、第２のマルチプレクサとを使用して通信される、Ｃ１６に記載の方法。
［Ｃ１８］
前記第１のマルチプレクサは、ダイプレクサであり、前記第２のマルチプレクサがダイプレクサである、Ｃ１７に記載の方法。
［Ｃ１９］
前記ボイス信号を通信することは、前記ボイス信号を送信することを備え、前記データ信号を通信することは、前記データ信号を送信することを備える、Ｃ１６に記載の方法。
［Ｃ２０］
前記ボイス信号と前記データ信号とが同時に送信される、Ｃ１９に記載の方法。
［Ｃ２１］
前記ボイス信号を通信することは、前記ボイス信号を受信することを備え、前記データ信号を通信することは、前記データ信号を受信することを備える、Ｃ１６に記載の方法。
［Ｃ２２］
前記ボイス信号と前記データ信号とは、同時に受信される、Ｃ２１に記載の方法。
［Ｃ２３］
前記方法は、ワイヤレス通信デバイスによって実行される、Ｃ１６に記載の方法。
［Ｃ２４］
前記ボイス信号を通信することは、前記ボイス信号を受信しながら同時に前記ボイス信号を送信することを備える、Ｃ１６に記載の方法。
［Ｃ２５］
前記データ信号を通信することは、前記データ送信信号を送信しながら同時にプライマリデータ受信信号とダイバーシティデータ受信信号とを受信することを備える、Ｃ１６に記載の方法。
［Ｃ２６］
データパス回路と、
ボイスパス回路と、
前記データパス回路にプライマリデータ受信信号を送り、前記ボイスパス回路からボイス送信信号を受信し、前記データパス回路からデータ送信信号を受信する、第１のマルチプレクサと、
前記データパス回路にダイバーシティデータ受信信号を送り、前記ボイスパス回路にボイス受信信号を送る、第２のマルチプレクサと、
前記第２のマルチプレクサとデータモデムとの間に接続されるデュプレクサと、
前記デュプレクサと接地との間に接続される抵抗器と
を備えるボイスおよびデータトランシーバと、
前記第１のマルチプレクサに接続される第１のアンテナと、
前記第２のマルチプレクサに接続される第２のアンテナと
を備える、同時ボイスおよびデータ通信のために構成されたワイヤレスデバイス。
［Ｃ２７］
前記デュプレクサおよび前記抵抗器の構成は、前記デュプレクサがダイバーシティ受信信号フィルタとして使用されるような構成である、Ｃ２６に記載のワイヤレスデバイス。
［Ｃ２８］
前記データ送信信号は、それが反射して前記デュプレクサに戻り、前記ボイス送信信号との３次相互変調干渉を発生しないように、前記抵抗器において終端される、Ｃ２７に記載のワイヤレスデバイス。
［Ｃ２９］
前記抵抗器は、５０オーム抵抗器である、Ｃ２６に記載のワイヤレスデバイス。
［Ｃ３０］
前記第１のマルチプレクサは、ダイプレクサであり、前記第２のマルチプレクサは、ダイプレクサである、Ｃ２６に記載のワイヤレスデバイス。
［Ｃ３１］
ボイス信号を通信するための手段と、
データ信号を通信するための手段と、
前記ボイス信号と前記データ信号とを同時に通信することによって発生される３次相互変調干渉を最小限に抑えるための手段とを備える、同時ボイスおよびデータ通信のための装置。
［Ｃ３２］
前記ボイス信号を通信するための前記手段は、第１のアンテナと第１のマルチプレクサとを使用することを備え、前記データ信号を通信するための前記手段は、前記第１のアンテナと、前記第１のマルチプレクサと、第２のアンテナと、第２のマルチプレクサとを備える、Ｃ３１に記載の装置。
［Ｃ３３］
前記第１のマルチプレクサは、ダイプレクサであり、前記第２のマルチプレクサは、ダイプレクサである、Ｃ３２に記載の装置。
［Ｃ３４］
前記ボイス信号を通信することは、前記ボイス信号を送信することを備え、前記データ信号を通信することは、前記データ信号を送信することを備える、Ｃ３１に記載の装置。
［Ｃ３５］
前記ボイス信号と前記データ信号とは、同時に送信される、Ｃ３４に記載の装置。
［Ｃ３６］
前記ボイス信号を通信することは、前記ボイス信号を受信することを備え、前記データ信号を通信することは、前記データ信号を受信することを備える、Ｃ３１に記載の装置。
［Ｃ３７］
前記ボイス信号と前記データ信号とは、同時に受信される、Ｃ３６に記載の装置。
［Ｃ３８］
前記装置は、ワイヤレス通信デバイスである、Ｃ３１に記載の装置。
［Ｃ３９］
前記ボイス信号を通信することは、前記ボイス信号を受信しながら同時に前記ボイス信号を送信することを備える、Ｃ３１に記載の装置。
［Ｃ４０］
前記データ信号を通信することは、前記データ送信信号を送信しながら同時にプライマリデータ受信信号とダイバーシティデータ受信信号とを受信することを備える、Ｃ３１に記載の装置。